【事件の表示】
　平成　３年特許願第１８３３９６号「固体撮像装置」拒絶査定に対する審判事件［平成　５年　１月２２日出願公開、特開平　５−　１４８２０］について、次のとおり審決する。
【結　論】
　本件審判の請求は、成り立たない。
【理　由】
第１　本願発明
　本願は、平成３年６月２８日の出願であって、その発明は、補正された明細書及び図面の記載からみて、その特許請求の範囲（請求項の数３）に記載された「固体撮像装置」に関するものであるところ、その請求項１に記載された発明（以下「本願発明」という。）は、次に掲げるとおりのものである。
「デジタルコンポーネントビデオ信号の規格におけるビデオ信号のサンプリング周波数ｆSTD1に対し、
　　ｆCCD1＝ｆSTD1・ｍ1／ｎ1
  （ただし、ｍ1，ｎ1はｍ1＞ｎ1なる正の整数である）
の関係にある第１の周波数ｆCCD1、又は、デジタルコンポジットビデオ信号の規格におけるビデオ信号のサンプリング周波数ｆSTD2に対し、
　　ｆCCD2＝ｆSTD2・ｍ2／ｎ2
  （ただし、ｍ2，ｎ2はｍ2＞ｎ2なる正の整数である）
の関係にある第２の周波数ｆCCD2の読み出しクロックレートで読み出される撮像信号を上記読み出しクロックレートでディジタル化し、上記第１の周波数ｆCCD1又は第２の周波数ｆCCD2の読み出しクロックレートの撮像データの少なくとも一方にレート変換処理を施して、上記サンプリング周波数ｆSTD1又は上記サンプリング周波数ｆSTD2の送り出しクロックレートの撮像データに変換できるように画素数を設定した固体イメージセンサと、
　上記固体イメージセンサから読み出された上記読み出しクロックレートの撮像信号を上記読み出しクロックレートでディジタル化するアナログディジタル変換手段と、
　上記アナログディジタル変換手段によりディジタル化された上記読み出しクロックレートのパラレル撮像データにレート変換処理を施し、上記サンプリング周波数ｆSTD1又は上記サンプリング周波数ｆSTD2の送り出しクロックレートのパラレル撮像データを形成するレート変換手段と、
　上記レート変換手段により得られる上記送り出しクロックレートのパラレル撮像データに上記送り出しクロックレートで画像処理を施し、上記サンプリング周波数ｆSTD1又は上記サンプリング周波数ｆSTD2の送り出しクロックレートのパラレル画像データを出力するデータ処理手段と、
　上記データ処理手段から出力される上記サンプリング周波数ｆSTD1又は上記サンプリング周波数ｆSTD2の送り出しクロックレートのパラレル画像データをシリアルデータに変換して出力するパラレルシリアル変換手段と
　を備えることを特徴とする固体撮像装置」
　
第２　刊行物発明
　１　刊行物１の発明
　　これに対して、原審の拒絶理由に引用された刊行物である、本願の出願の日前の平成１年１１月１３日に頒布された特開平１−２８０９７５号公報（以下「刊行物１」という。）には、次に掲げる(1)ないし(3)の事項からなる固体撮像装置の信号処理装置（以下「刊行物１の発明」という。）が記載されている。
　 (1)　第３図は、この発明の一実施例におけるＣＣＤのサンプリング周波数ｆ1及びＡ／Ｄ変換のサンプリング周波数の他のいくつかの例を示す。第３図Ａは、（ｆ1＝21.5MHz＝6ｆsc,ｆsc:カラーサブキャリア周波数）（ｆ2＝13.5MHz）の例である。第３図Ｂは、（ｆ1＝20.25MHz）（ｆ2＝14.32MHz＝4ｆsc）の例である。（３頁右下欄下から４行ないし４頁左上欄３行）
　 (2)　ＣＣＤ４Ｇからの撮像出力信号は、プリアンプ８を介してアナログ処理回路１０に供給される。アナログ処理回路１０の出力信号がＡ／Ｄ変換器１１によりディジタル信号に変換される。Ａ／Ｄ変換器１１の出力信号がディジタルローパスフィルタ１３によって帯域制限され、次段のダウンサンプリング回路１４に供給される。ダウンサンプリング回路１４の出力信号がディジタル処理系１２に供給される。（４頁左上欄下から２行ないし同頁右上欄７行）
　 (3)　Ａ／Ｄ変換器１１及びディジタルローパスフィルタ１３には、周波数ｆ3のクロック信号が供給され、ダウンサンプリング回路１４及びディジタル処理系１２には、周波数ｆ4のクロック信号が供給される。ダウンサンプリング回路１４は、サンプリング周波数ｆ3（＞ｆ4）のディジタル撮像信号を周波数ｆ4のディジタル撮像信号に変換するサンプリングレート変換回路である。ＣＣＤのサンプリング周波数ｆ1は、周波数ｆ4の整数倍に選定され、（ｆ1＝ｆ3）と選定される。例えば、（ｆ1＝ｆ3＝27MHz）（ｆ4＝13.5MHz）とされる。（４頁右上欄10行ないし同頁左下欄１行）
　
　２　刊行物２
　　同じく、原審の拒絶理由に引用された刊行物である、本願の出願の日前の平成３年５月１３日に頒布された特開平３−１１２２８７号公報（以下「刊行物２」という。）には、固体撮像装置の信号処理回路及びカラーテレビジョンカメラ装置に関して、次に掲げる(1)(2)の事項が記載されている。
　 (1)　放送局等で使用する業務用のディジタルビデオテープレコーダでは、いわゆるＤ１／Ｄ２フォーマット等の規格化が進められており、これらの規格に適合したディジタルビデオ関連機器に対するディジタルインターフェースがカラーテレビジョンカメラ装置にも必要とされている。（３頁右下欄３行ないし８行）
　 (2)　ディジタルコンポジットビデオ信号ＤCSOUT＊は、上記Ｐ／Ｓ変換器（25）に供給され、このＰ／Ｓ変換器（25）によりシリアルデータに変換されデータ出力端子（20OUT）から出力される。（９頁左下欄４行ないし８行）
　
第３　刊行物発明と本願発明との対比・検討
　１　刊行物１の発明と本願発明との対比
　そこで、刊行物１の発明における事項と本願発明における事項とを対比すると、刊行物１の発明は「固体撮像装置の信号処理装置」であるが、この信号処理装置は、ＣＣＤのサンプリング周波数ｆ1とＡ／Ｄ変換器１１のサンプリング周波数ｆ3とをｆ1＝ｆ3とし、サンプリング周波数ｆ3（＞ｆ4）のディジタル撮像信号を周波数ｆ4のディジタル撮像信号に変換する「固体撮像装置」に関するものといえるから（刊行物１の(3)を参照）、次に掲げる(1)ないし(6)の事項がそれぞれ相当ないしは対応する。
　 (1)　刊行物１の発明において、ダウンサンプリング回路１４は、サンプリング周波数ｆ3（＞ｆ4）のディジタル撮像信号を周波数ｆ4のディジタル撮像信号に変換するサンプリングレート変換回路であって、この周波数ｆ4は、13.5MHzである（刊行物１の(3)を参照）。また、上記周波数ｆ4は、14.3MHzでもある（刊行物１の(1)を参照）。
　したがって、本願明細書の段落0005にも記載されているように、13.5MHzはデジタルコンポーネントビデオ信号のＤ−１規格であり、14.3MHzはＮＴＳＣ方式のデジタルコンポジットビデオ信号のＤ−２規格であるから、刊行物１の発明における「周波数ｆ4（＝13.5MHz）」は、本願発明における「デジタルコンポーネントビデオ信号の規格におけるビデオ信号のサンプリング周波数ｆSTD1」に相当し、刊行物１の発明における「周波数ｆ4（＝14.3MHz）」は、本願発明における「デジタルコンポジットビデオ信号の規格におけるビデオ信号のサンプリング周波数ｆSTD2」に相当する。
　 (2)　刊行物１の発明において、周波数13.5MHz（ｆSTD1）に対応するＣＣＤのサンプリング周波数（ｆCCD1）は、21.5MHzで、周波数14.3MHz（ｆSTD2）に対応するＣＣＤのサンプリング周波数（ｆCCD2）は、20.25MHzである（刊行物１の(1)を参照）。
　したがって、刊行物１の発明における「ｆCCD1＝ｆSTD1・43／27（43，27は43＞27なる正の整数）」と「ｆCCD2＝ｆSTD2・405／286（405，286は405＞286なる正の整数）」は、本願発明における「ｆCCD1＝ｆSTD1・ｍ1／ｎ1（ただし、ｍ1，ｎ1はｍ1＞ｎ1なる正の整数である）」と「ｆCCD2＝ｆSTD2・ｍ2／ｎ2（ただし、ｍ2，ｎ2はｍ2＞ｎ2なる正の整数である）」に相当する。
　 (3)　刊行物１の発明における「ＣＣＤ４Ｇ」は、そこから読み出される撮像信号をＡ／Ｄ変換器１１でディジタル化し、ｆ1＝ｆ3＝27MHzの読み出しクロックレートの撮像データをダウンサンプリング回路１４でレート変換して、送り出しクロックレートの撮像データに変換できるようにしたものであるから（刊行物１の(2)(3)を参照）、画素数の設定については別として、本願発明における「固体イメージセンサ」に対応する。
　 (4)　刊行物１の発明における「Ａ／Ｄ変換器１１」は、周波数ｆ3のクロック信号が供給され、ＣＣＤ４Ｇからのサンプリング周波数ｆ1＝ｆ3でサンプルされた撮像出力信号をディジタル信号に変換するから（刊行物１の(2)を参照）、本願発明における「アナログディジタル変換手段」に相当する。
　 (5)　刊行物１の発明における「ダウンサンプリング回路１４」は、Ａ／Ｄ変換器１１によりディジタル化されたパラレルの撮像データをサンプリング周波数13.5MHz又はサンプリング周波数14.3MHzのパラレルの撮像データに変換するサンプリングレート変換回路であるから（刊行物１の(3)を参照）、本願発明における「レート変換手段」に相当する。
　 (6)　刊行物１の発明における「ディジタル処理系１２」は、ダウンサンプリング回路１４の出力信号が供給され、周波数ｆ4のクロック信号13.5MHz又は14.3MHzが供給されて、画像処理を行い、パラレルの撮像データを出力するから（刊行物１の(2)(3)を参照）、本願発明における「データ処理手段」に相当する。
　
　２　刊行物１の発明と本願発明との一致点・相違点の検討
　　上記１の対比から刊行物１の発明と本願発明とは、次に掲げる(1)の点で一致し、次に掲げる(2)の点で相違する。
　　(1)　一致点
　　　「デジタルコンポーネントビデオ信号の規格におけるビデオ信号のサンプリング周波数ｆSTD1に対し、
　　ｆCCD1＝ｆSTD1・ｍ1／ｎ1
  （ただし、ｍ1，ｎ1はｍ1＞ｎ1なる正の整数である）
の関係にある第１の周波数ｆCCD1、又は、デジタルコンポジットビデオ信号の規格におけるビデオ信号のサンプリング周波数ｆSTD2に対し、
　　ｆCCD2＝ｆSTD2・ｍ2／ｎ2
  （ただし、ｍ2，ｎ2はｍ2＞ｎ2なる正の整数である）
の関係にある第２の周波数ｆCCD2の読み出しクロックレートで読み出される撮像信号を上記読み出しクロックレートでディジタル化し、上記第１の周波数ｆCCD1又は第２の周波数ｆCCD2の読み出しクロックレートの撮像データの少なくとも一方にレート変換処理を施して、上記サンプリング周波数ｆSTD1又は上記サンプリング周波数ｆSTD2の送り出しクロックレートの撮像データに変換できるようにした固体イメージセンサと、
　上記固体イメージセンサから読み出された上記読み出しクロックレートの撮像信号を上記読み出しクロックレートでディジタル化するアナログディジタル変換手段と、
　上記アナログディジタル変換手段によりディジタル化された上記読み出しクロックレートのパラレル撮像データにレート変換処理を施し、上記サンプリング周波数ｆSTD1又は上記サンプリング周波数ｆSTD2の送り出しクロックレートのパラレル撮像データを形成するレート変換手段と、
　上記レート変換手段により得られる上記送り出しクロックレートのパラレル撮像データに上記送り出しクロックレートで画像処理を施し、上記サンプリング周波数ｆSTD1又は上記サンプリング周波数ｆSTD2の送り出しクロックレートのパラレル画像データを出力するデータ処理手段と
　を備えることを特徴とする固体撮像装置」
　 (2)　相違点
 　　　ア　上記「固体イメージセンサ」が、本願発明においては、「画素数を設定」しているのに対して、刊行物１の発明においては、画素数を設定することについては、明記されていない点
 　　　イ　上記「固体撮像装置」が、本願発明においては「パラレルシリアル変換手段」を備えているのに対して、刊行物１の発明においては備えていない点
　
　３　相違点についての検討
　 (1)　相違点アの検討
　　　本願発明において「画素数を設定」することについて、本願明細書の段落0013及び0014には、Ｄ１規格のサンプリング周波数ｆSTD1とＣＣＤの読み出しサンプリング周波数ｆCCD1との関係式ｆCCD1＝ｆSTD1・ｍ1／ｎ1、又は、Ｄ２規格のサンプリング周波数ｆSTD2とＣＣＤの読み出しサンプリング周波数ｆCCD2との関係式ｆCCD2＝ｆSTD2・ｍ2／ｎ2から画素数Ｎ1、又は、画素数Ｎ2を求めることが記載されているが、刊行物１の発明においても上記刊行物１の発明と本願発明との対比したように、上記関係式が成り立つのであるから、刊行物１の発明において、ＣＣＤ４Ｇの画像数を関係式に基づいて設定することは、当業者であれば、適宜なし得ることである。
　したがって、上記「固体イメージセンサ」の「画素数を設定」することは、当業者であれば、適宜なし得ることである。
　 (2)　相違点イの検討
　　　Ｄ１／Ｄ２フォーマットの規格に適合させるための固体撮像装置において、パラレルのディジタルコンポジットビデオ信号をＰ／Ｓ変換器によりシリアルデータに変換することは、刊行物２に記載されているから、Ｄ１／Ｄ２フォーマットの規格が意識されている刊行物１の発明にＰ／Ｓ変換器を備えさせて、サンプリング周波数ｆSTD2のデジタルコンポジットビデオ信号、又は、サンプリング周波数ｆSTD1のデジタルコンポーネントビデオ信号をシリアルデータに変換することは、当業者であれば、適宜なし得ることである。
　したがって、上記「固体撮像装置」に「パラレルシリアル変換手段」を備えさせることは、当業者であれば、適宜なし得ることである。
　
第４　むすび
　以上、本願発明は、刊行物１の発明に基いて、当業者が容易に発明をすることができたものであるから、特許法２９条２項の規定により特許を受けることができない。
　よって、結論のとおり審決する。